(57)【要約】【課題】作業性を良好にして施工コストの更なる削減を図ることができる放電灯点灯装置及び照明器具を提供する。【解決手段】放電灯点灯装置１０及び照明器具１０は、金属あるいは樹脂ケースで構成され、器具本体８１に固定される安定器ケース１１，１２を備え、安定器ケース１１，１２を長手方向に沿って移動可能にして所定位置で支持する支持手段１４，１５，８７，８８を器具本体８１との間に備えた。【選択図】図７
2010186595.tif 000002
【特許請求の範囲】
【請求項１】
金属あるいは樹脂ケースで構成され、器具本体に固定される安定器ケースを備えた放電灯点灯装置において、
前記安定器ケースを長手方向に沿って移動可能にして所定位置で支持する支持手段を前記器具本体との間に備えたことを特徴とする放電灯点灯装置。
【請求項２】
前記安定器ケースは、前記器具本体への固定用とする少なくとも１個のねじ穴を設けていることを特徴とする請求項１記載の放電灯点灯装置。
【請求項３】
前記支持手段は、前記安定器ケースおよび前記器具本体のいずれか一方に形成された鍔部と、前記安定器ケースおよび前記器具本体のいずれか他方に形成された鍔受部とであることを特徴とする請求項１または２記載の放電灯点灯装置。
【請求項４】
前記支持手段は、前記安定器ケースを覆って前記器具本体に形成され、前記安定器ケースを長手方向に沿って移動可能にして所定位置で支持するガイド部であることを特徴とする請求項１又は２記載の放電灯点灯装置。
【請求項５】
請求項１〜４のいずれかに記載の放電灯点灯装置を装備したことを特徴とする照明器具。
【発明の詳細な説明】
【技術分野】
【０００１】
本発明は、例えばオフィス等の施設用照明に用いられる照明器具に内蔵される放電灯点灯装置及び照明器具に関する。
【背景技術】
【０００２】
本発明者らは、安定器の一方の鍔部を挿入係止する挿入係止片を器具本体の一方に形成し、安定器の他方の鍔部をねじにより固定した放電灯点灯装置及び照明器具を既に提案している（例えば、特許文献１参照）。
【先行技術文献】
【特許文献】
【０００３】
【特許文献１】特開平６−４１０２５号公報（図１、請求項１）
【発明の概要】
【発明が解決しようとする課題】
【０００４】
近年、蛍光灯照明器具のリニューアルとして安定器のみを交換する事業が増加する傾向にある。これは照明器具ごと全て交換するよりも低いコストで省エネ化できるからである。蛍光灯照明器具は主に金属やプラスチックからなる器具本体、安定器、ソケット、蛍光ランプから構成される。なかでも安定器は従来の銅鉄式からインバータ式が主流になり、またインバータの回路効率の改善により益々省エネ化が図られている。
【０００５】
蛍光灯照明器具のなかで最も寿命が短いものは蛍光ランプである。蛍光ランプが寿命になり点灯しなくなった場合には容易に交換することができるため問題はない。次に寿命が短いものは安定器である。銅鉄式にしてもインバータ式にしても安定器は絶縁物の劣化や電子部品の劣化により寿命に至る。絶縁性能が低下した安定器を使用し続けることは、照明器具の安全上好ましいものではない。
【０００６】
このように省エネを目的としたリニューアルあるいは安定器の寿命によるリニューアルの要望が益々強くなるなかで、安定器を容易に交換できることが重要である。
【０００７】
ところで、省エネ性能の追求、コスト低減、器具形状の自由化を目的としてインバータ式安定器のサイズは小型化される傾向にある。電子部品の高性能化も相まって安定器の小型化は益々進んでいる。したがって照明器具の安定器を交換する際には既設の安定器と新しい安定器とではサイズが異なることが多い。実際、安定器を交換する際には新しい安定器のサイズに合わせて器具に新たに取り付け穴を開ける加工が施される。また照明器具を取り外して穴開け加工をすると施工コストが高くなるため、器具を取り付けた状態のまま器具の表側からタッピングネジを用いて器具に安定器を直接固定することがしばしば行われている。
【０００８】
オフィス等の施設用照明には直管型蛍光灯照明器具が普及している。直管型蛍光灯照明器具は所望の配光と効率とが得られるように反射板が設けられ、通常、安定器は反射板の裏側に固定される。
【０００９】
近年、照明器具は薄型化の慎向にあり、それに伴って安定器にも薄型化が要求されてきている。そのため直管型蛍光灯用の安定器の形状は、小さな断面構造で長手方向を有する形状がとられることが多い。
【００１０】
蛍光灯の管径が同じで長さが異なるランプ、例えばＦＬＲ４０とＦＬＲ２０等の場合は、器具の断面形状は等しくなるので安定器に要求され断面形状もまた同じになる。安定器の生産効率化のため、安定器の断面形状は同一にして負荷の種類やその灯数によって長手方向のサイズを変更する。これにより、ケースの金型の共通化を図ることができ効率的である。
【００１１】
また、前述のように近年の電子部品の小型化にともない安定器を小型化する際にも安定器の断面形状は変えず、長さだけが短くなる。
【００１２】
上記特許文献１は、ネジの取付け加工を減らし照明器具の組立て工数の削減を可能にできるものの、長さの異なる安定器を交換するに際し、照明器具に安定器の取り付け穴を新たに開ける必要がある。
従って、作業性が良好ではなく施工コストが増大する虞がある。
【００１３】
本発明は、前述した課題を解決するためになされたものであり、その目的は、作業性を良好にして施工コストの更なる削減を図ることができる放電灯点灯装置及び照明器具を提供することにある。
【課題を解決するための手段】
【００１４】
本発明に係る放電灯点灯装置は、金属あるいは樹脂ケースで構成され、器具本体に固定される安定器ケースを備えた放電灯点灯装置において、前記安定器ケースを長手方向に沿って移動可能にして所定位置で支持する支持手段を前記器具本体との間に備えたことを特徴とする。
【００１５】
本発明においては、例えば長さの短い安定器を長さの長い安定器に交換するに際し、長さの短い安定器ケースを固定していたスペースに、支持手段により長さの長い安定器ケースをそのまま長手方向に沿って移動可能にして所定位置で支持することができる。
これにより、従来のもののように、照明器具に安定器の取り付け穴を新たに開ける必要がなくなる。
従って、作業性を良好にして施工コストの更なる削減を図ることができる。
【００１６】
本発明に係る放電灯点灯装置は、上記放電灯点灯装置において、前記安定器ケースは、前記器具本体への固定用とする少なくとも１個のねじ穴を設けていることを特徴とする。
【００１７】
本発明においては、支持手段により交換する安定器ケースを長手方向に沿って移動可能にして所定位置で支持する際に１個のねじ穴を介して器具本体への固定を行う。
従って、ねじ穴の数を削減することができるので、製造工程の簡略化を図れるとともに、剛性の低下を防ぐことができる。
【００１８】
本発明に係る放電灯点灯装置は、上記放電灯点灯装置において、前記支持手段は、前記安定器ケースおよび前記器具本体のいずれか一方に形成された鍔部と、前記安定器ケースおよび前記器具本体のいずれか他方に形成された鍔受部とであることを特徴とする。
【００１９】
本発明においては、安定器ケースおよび器具本体のいずれか一方に形成された鍔部を、安定器ケースおよび器具本体のいずれか他方に形成された鍔受部に挿入する。
これにより、安定器ケースを長手方向に沿って移動可能にして所定位置で支持することができる。
従って、複雑な構造にならずに、従来より使用していた金型にわずかな加工を施すだけで簡単に製造することができる。
【００２０】
本発明に係る放電灯点灯装置は、上記放電灯点灯装置において、前記支持手段は、前記安定器ケースを覆って前記器具本体に形成され、前記安定器ケースを長手方向に沿って移動可能にして所定位置で支持するガイド部であることを特徴とする。
【００２１】
本発明においては、安定器ケースを覆って器具本体に形成されたガイド部に安定器ケースを挿入する。
これにより、安定器ケースを長手方向に沿って移動可能にして所定位置で支持することができる。
従って、安定器ケースに加工を施すことなく、簡単な構造で取付を行うことができる。
【００２２】
本発明に係る照明器具は、上記放電灯点灯装置を装備したことを特徴とする。
【００２３】
本発明においては、異なる長さの安定器ケースをそのまま長手方向に沿って移動可能にして所定位置で支持できる放電灯点灯装置を備える。
これにより、従来のもののように、照明器具に安定器の取り付け穴を新たに開ける必要がなくなる。
従って、作業性を良好にして施工コストの更なる削減を図れる照明器具を提供することができる。
【発明の効果】
【００２４】
本発明の放電灯点灯装置及び照明器具によれば、金属あるいは樹脂ケースで構成され、器具本体に固定される安定器ケースを備え、安定器ケースを長手方向に沿って移動可能にして所定位置で支持する支持手段を器具本体との間に備えた。
これにより、作業性を良好にして施工コストの更なる削減を図ることができるという効果を有する。
【図面の簡単な説明】
【００２５】
【図１】本発明に係る第１実施形態の放電灯点灯装置を適用した照明器具の斜め下方から視た外観斜視図
【図２】図１に示した照明器具の垂直断面図
【図３】（Ａ）は図１に示した放電灯点灯装置の側面図、（Ｂ）は（Ａ）の底面図
【図４】図１に示した照明器具における放電灯点灯装置の垂直断面図
【図５】図１に示した放電灯点灯装置に適用される器具本体の斜め下方から視た外観斜視図
【図６】図１に示した放電灯点灯装置の器具本体への取付手順を説明する斜め下方から視た外観斜視図
【図７】図７の垂直断面図
【図８】本発明に係る第１実施形態の放電灯点灯装置の第１変形例の垂直断面図
【図９】（Ａ）は本発明に係る第１実施形態の放電灯点灯装置の第２変形例の側面図、（Ｂ）は（Ａ）の底面図
【図１０】本発明に係る第２実施形態の放電灯点灯装置の側面図
【図１１】図１０に示した放電灯点灯装置の垂直断面図
【図１２】図１０に示した放電灯点灯装置の器具本体への取付手順を説明する斜め下方から視た外観斜視図
【図１３】図１２の垂直断面図
【図１４】図１３の要部拡大図
【図１５】（Ａ）は本発明に係る第３実施形態の放電灯点灯装置の側面図、（Ｂ）は（Ａ）の底面図
【図１６】図１５に示した放電灯点灯装置の垂直断面図
【発明を実施するための形態】
【００２６】
以下、本発明の複数の実施形態に係る放電灯点灯装置及び照明器具について図面を参照して説明する。
【００２７】
（第１実施形態）
図１に示すように、本発明の第１実施形態である放電灯点灯装置１０を適用した照明器具８０は、金属やプラスチックからなる器具本体８１と、二対のソケット８２，８３と、２本の蛍光ランプ８４，８５と、放電灯点灯装置１０と、を備え、天井面１に取り付けられる。
【００２８】
図２に示すように、放電灯点灯装置１０は、器具本体８１において蛍光ランプ８４，８５の光を反射させるための反射板８６の裏側に取り付けられている。
【００２９】
図３（Ａ），（Ｂ）に示すように、放電灯点灯装置１０は、不図示のコンデンサー等の電気部品を取り付けた安定器ケースの一方を構成するケース本体１１と、ケース本体１１に被着される安定器ケースの他方を構成するケース蓋１２と、を備える。
【００３０】
ケース本体１１には、その一端部に単一のねじ穴１３を形成している。また、ケース本体１１には、その幅方向の端部に支持手段の一方を構成する一対の鍔部１４，１５を形成している。鍔部１４，１５はケース本体１１の長さ方向に沿って長さ寸法Ｌ１を有する。
【００３１】
図４に示すように、ケース本体１１は、その一対の側板１６，１７をケース蓋１２に有する側板１８，１９にそれぞれ内嵌することにより一体的に組み立てられている。
【００３２】
図５に示すように、器具本体８１には、その長手方向に沿って支持手段の他方を構成する一対の鍔受部８７，８８を形成している。鍔受部８７，８８は鍔部１４，１５を挿入可能な垂直断面視Ｌ字形状の溝状に形成されており、器具本体８１の長手方向の両端部を開放している。
【００３３】
器具本体８１は鍔受部８７，８８から器具本体８１の長手方向にわずかに離れた位置にねじ穴８９を形成している。ねじ穴８９は鍔受部８７，８８の一方側のみに形成されており、鍔受部８７，８８の他方側には形成されていない。
【００３４】
次に、放電灯点灯装置１０の器具本体８１への取付手順について説明する。
【００３５】
図６に示すように、ケース本体１１にケース蓋１２を組み付けた放電灯点灯装置１０を器具本体８１の側部から進行させていき、ケース本体１１の鍔部１４，１５を器具本体８１の鍔受部８７，８８内に挿入していく。
【００３６】
ケース本体１１は、そのねじ穴１３が器具本体８１のねじ穴８９に一致するまで挿入されていき、それぞれのねじ穴１３，８９が一致した位置でケース本体１１の進行を停止する。
【００３７】
そして、ケース本体１１のねじ穴１３から器具本体８１のねじ穴８９に単一のタッピングビス２０をねじ込んでいくことにより、放電灯点灯装置１０が器具本体８１に固定される。
【００３８】
このとき、放電点灯装置１０のケース本体１１およびケース蓋１２が短いものから長いものへ交換される場合、ケース本体１１の鍔部１４，１５と器具本体８１の鍔受部８７，８８とにより、短いケース本体およびケース蓋を固定していたスペースに、長いケース本体１１およびケース蓋１２がそのまま長手方向に沿って移動可能にして所定位置で支持される。
これにより、従来のもののように、照明器具に放電点灯装置の取り付け穴を新たに開ける必要がなくなる。
【００３９】
図７に示すように、ケース本体１１は幅寸法Ｌ２を有し、鍔部１４，１５は幅寸法Ｌ３をそれぞれ有する。そのため、器具本体８１の鍔受部８７，８８の間隔寸法Ｌ４は、Ｌ４≧Ｌ２＋Ｌ３×２の関係に設定される。器具本体８１の鍔受部８７，８８の間隔寸法はケース本体１１の幅寸法と鍔部１４，１５の幅寸法とに応じて適宜変更されるために、幅寸法の異なる放電点灯装置１０にも対応することができる。
【００４０】
図８に示すように、本発明の第１実施形態の放電灯点灯装置１０の第１変形例では、ケース蓋１２の幅方向の端部に支持手段の一方を構成する一対の鍔部２１，２２を形成している。
【００４１】
図９（Ａ），（Ｂ）に示すように、本発明の第１実施形態の放電灯点灯装置１０の第２変形例では、ケース本体１１の幅方向の端部に支持手段の一方を構成する二対の鍔部２３，２４、２５，２６を分割して形成している。
【００４２】
二対の鍔部２３，２４、２５，２６のうち中央部に配置された鍔部２３，２４は長さ寸法Ｌ５を有する。鍔部２３，２４から離れた位置に配置された鍔部２５，２６は鍔部２３，２４よりも長さが短い長さ寸法Ｌ６を有する。
【００４３】
第１実施形態の放電灯点灯装置１０では、例えば長さの短い安定器ケースを長さの長い安定器ケース１１，１２に交換するに際し、長さの短い安定器ケースを固定していたスペースに、支持手段により長さの長い安定器ケース１１，１２をそのまま長手方向に沿って移動可能にして所定位置で支持することができる。
これにより、従来のもののように、照明器具に安定器の取り付け穴を新たに開ける必要がなくなる。
従って、作業性を良好にして施工コストの更なる削減を図ることができる。
【００４４】
第１実施形態の放電灯点灯装置１０では、支持手段により交換する安定器ケース１１，１２を長手方向に沿って移動可能にして所定位置で支持する際に１個のねじ穴１３を介して器具本体８１への固定を行う。
従って、ねじ穴の数を削減することができるので、製造工程の簡略化を図れるとともに、剛性の低下を防ぐことができる。
【００４５】
第１実施形態の放電灯点灯装置１０では、安定器ケース１１，１２に形成された鍔部１４，１５，２１，２２，２３，２４，２５，２６を、器具本体８１に形成された鍔受部８７，８８に挿入する。
これにより、安定器ケース１１，１２を長手方向に沿って移動可能にして所定位置で支持することができる。
従って、複雑な構造にならずに、従来より使用していた金型にわずかな加工を施すだけで簡単に製造することができる。
【００４６】
第１実施形態の照明器具８０では、異なる長さの安定器ケース１１，１２をそのまま長手方向に沿って移動可能にして所定位置で支持できる放電灯点灯装置１０を備える。
これにより、従来のもののように、照明器具に安定器の取り付け穴を新たに開ける必要がなくなる。
従って、作業性を良好にして施工コストの更なる削減を図れる照明器具８０を提供することができる。
【００４７】
（第２実施形態）
次に、本発明の第２実施形態の放電灯点灯装置及び照明器具について説明する。なお、以下の各実施形態において、上述した第１実施形態と重複する構成要素や機能的に同様な構成要素については、図中に同一符号あるいは相当符号を付することによって説明を簡略化あるいは省略する。
【００４８】
図１０、図１１に示すように、本発明の第２実施形態の放電灯点灯装置３０は、ケース本体３１の側板１６，１７の端部に支持手段の一方を構成する一対の鍔受部３２，３３を形成している。
【００４９】
図１２に示すように、器具本体８１は、その長手方向に沿って支持手段の他方を構成する一対の鍔部９０，９１を形成している。
【００５０】
放電灯点灯装置３０は、器具本体８１の側部から進行させていき、ケース本体３１の鍔受部３２，３３を器具本体８１の鍔部９０，９１に挿入していく。
【００５１】
安定器ケース３１，１２は、そのねじ穴１３が器具本体８１のねじ穴８９に一致するまで挿入されていき、それぞれのねじ穴１３，８９が一致した位置でケース本体３１の進行を停止する。
【００５２】
そして、ケース本体３１のねじ穴１３から器具本体８１のねじ穴８９にタッピングビス２０をねじ込んでいくことにより、放電灯点灯装置３０が器具本体８１に固定される。
【００５３】
図１３，１４に示すように、ケース本体３１は幅寸法Ｌ７を有し、鍔部９０，９１は幅寸法Ｌ８をそれぞれ有する。そのため、器具本体８１の鍔部９０，９１の間隔寸法Ｌ９は、Ｌ９≧Ｌ７−Ｌ８×２の関係に設定される。器具本体８１の鍔部９０，９１の間隔寸法はケース本体３１の幅寸法と鍔受部３２，３３の幅寸法とに応じて適宜変更されるために、幅寸法の異なる放電点灯装置３０にも対応することができる。
【００５４】
第２実施形態の放電灯点灯装置３０では、安定器ケース１１，１２に形成された鍔受部３２，３３を、器具本体８１に形成された鍔部９０，９１に挿入する。
これにより、安定器ケース１１，１２を長手方向に沿って移動可能にして所定位置で支持することができる。
従って、複雑な構造にならずに、従来より使用していた金型にわずかな加工を施すだけで簡単に製造することができる。
【００５５】
（第３実施形態）
次に、本発明の第３実施形態の放電灯点灯装置及び照明器具について説明する。
【００５６】
図１５、図１６、図１７に示すように、本発明の第３実施形態の放電灯点灯装置４０は、安定器ケース１１，１２を覆って器具本体８１に形成された一対のガイド部４１を支持手段としている。
【００５７】
ガイド部４１は、安定器ケース１１，１２の外形に相似していて安定器ケース１１，１２よりもわずかに大きい開口寸法を有して器具本体８１に突出形成されている。
【００５８】
放電灯点灯装置４０は、器具本体８１の側部から進行させていき、安定器ケース１１，１２を器具本体８１のガイド部４１内に挿入していく。
【００５９】
安定器ケース１１，１２は、そのねじ穴１３が器具本体８１のねじ穴８９に一致するまで挿入されていき、それぞれのねじ穴１３，８９が一致した位置でケース本体３１の進行を停止する。
【００６０】
そして、ケース本体１１のねじ穴１３から器具本体８１のねじ穴８９にタッピングビス２０をねじ込んでいくことにより、放電灯点灯装置４０が器具本体８１に固定される。
【００６１】
第３実施形態の放電灯点灯装置４０では、安定器ケース１１，１２を覆って器具本体８１に形成されたガイド部４１に安定器ケース１１，１２を挿入する。
これにより、安定器ケース１１，１２を長手方向に沿って移動可能にして所定位置で支持することができる。
従って、安定器ケース１１，１２に加工を施すことなく、簡単な構造で取付を行うことができる。
【００６２】
なお、前記各実施形態で使用したソケット８２，８３、蛍光ランプ８４，８５、反射板８６等は例示したものに限定するものではなく適宜変更が可能である。
【符号の説明】
【００６３】
１０、３０、４０  放電灯点灯装置
１１、３１  ケース本体（安定器ケース）
１２  ケース蓋（安定器ケース）
１３  ねじ穴
１４、１５、２１、２２、２３、２４、２５、２６、９０、９１  鍔部（支持手段）
３２、３３、８７、８８  鍔受部（支持手段）
４１  ガイド部
８０  照明器具
８１  器具本体
【図１】
2010186595.tif 000003
【図２】
2010186595.tif 000004
【図３】
2010186595.tif 000005
【図４】
2010186595.tif 000006
【図５】
2010186595.tif 000007
【図６】
2010186595.tif 000008
【図７】
2010186595.tif 000009
【図８】
2010186595.tif 000010
【図９】
2010186595.tif 000011
【図１０】
2010186595.tif 000012
【図１１】
2010186595.tif 000013
【図１２】
2010186595.tif 000014
【図１３】
2010186595.tif 000015
【図１４】
2010186595.tif 000016
【図１５】
2010186595.tif 000017
【図１６】
2010186595.tif 000018